(57)【要約】【課題】  抱っこ、負んぶ、身体を動かす運動、又、物に接する圧力が大きい、時間が長い場合は衣服の媒体に圧迫的な負担が掛かって、衣服が適正でない運用、不快感を覚える状態で衣服全体、衣服の部分的な構成要素、使用形態がマンネリズムの傾向にあるという不都合を解決する。【解決手段】  衣服全体が肌上に直接、又は適度な衣類の中間部に装着、及び最表面上部と使用用途に適応した着用できる衣服を媒質とするものが、接する人、物や接する大気を介して、接触面の面積、接触面の空間部、隙間の体積を各可変させる多彩なメッシュ立体構造にし、熱伝導の度合い範囲を調整できる機能を有し、全体的、部分的にメッシュ立体構造と適応した豊富なデザイン性を融合させ、抱っこ、負んぶ、身体を動かす運動などの衣服、衣服上にはマジックテープを設けたものと設けないものの二極化や一体型涎汚用拭取用掛けをするなどの熱伝導調節用衣服によって、この課題を解決する。【選択図】図１
2014185416.tif 000002
【特許請求の範囲】
【請求項１】
衣服全体が肌上に直接、又は適度な衣類の中間部に装着、及び最表面上部と使用用途に適応した着用できる衣服を媒質とするものが、接する人、物や接する大気を介して、接触面の面積、接触面の空間部、隙間の体積を各可変させる多彩なメッシュ立体構造にし、熱伝導の度合い範囲を調整できる機能を有し、衣服の縁以外と縁を含む全体的、部分的にメッシュ立体構造とする衣服の正面側と背面の後側、衣服全体の各部分的においてはメッシュ立体構造の接触面の調整機能が同一、又は異とする、衣服上の構成として違和感がない、吸水速乾と通気性に富んだ化学繊維、綿などを合成した素材の構造性と適応した豊富なデザイン性が融合することを特徴とする熱伝導調節用衣服。
【請求項２】
身体の胴体周囲部、胸部、背中部、肩部、脇腕部を含む上半身の大部分と全体的な衣服が衣服と接する乳幼児を抱っこ、負んぶ、身体を動かす運動、又、荷物などの物体を密着させて持つ、負うなどの行為に対し、媒体となる衣服を介して、熱の伝導、発汗を変化させる構成と吸汗速乾性のある綿などと化学繊維のレーヨン、ポリエステルなどを適当に合成したものを選択して利用し、乳幼児は涎、飲食物で着衣を汚されるため、汚れを防ぐものと汚れを拭き取る一体型涎汚用拭取用掛けを化学繊維、布などの合成とタオル系の大きさ、形状、色彩、組合せを考慮した配置をし、個別に装着できる両先端をマジックテープで固定できるが、媒体の衣服上のマジックテープに装着もでき、乳幼児の負んぶや荷物などの物体、リュックサック、鞄、バックなどを密着させて運ぶ場合、肩、腰、胴部などに適応したのクッションのパッドを一体型肩パッドと一体型腰・胴パッド掛けを個別に装着するか、各パッドを衣服上のマジックテープに直接、装着するようにするが、使用しないときはダミーの装飾品を付けて違和感のないようにすることもでき、又、衣服上へ装着する各部パッドは固定式専用にすることもできるものであり、媒体の衣服上にはマジックテープを設けないものと設けたものの二極化に選定することを特徴とした請求項１記載の熱伝導調節用衣服。
【発明の詳細な説明】
【技術分野】
【０００１】  本発明は、衣料一般の抱っこ、負んぶ、身体を動かす運動用衣服に関するものであり、衣服の形状、構造、機能、構成に工夫を加えることにより、衣服全体が合理的で利便性、ファッション性を構築するようにしたものである。
【背景技術】
【０００２】  従来、赤ん坊、幼児を抱っこ、負んぶ、物を負う、物や大気に接する、スポーツや作業で身体を動かす衣服は機能性や構成などの配慮、加味したものについて、これと言った適応するものがなく、各自の個性、裁量による抱っこ、負んぶ、身体を動かす運動などの衣服を着用したプロセスがスタンダードのものに定着している。
【発明の開示】
【発明が解決しようとする課題】
【０００３】  しかし、従来のような抱っこ、負んぶ、身体を動かす運動などの衣服では、形状、構造、機能、構成などに大きな変化がなく、抱っこしたり、負んぶする、又、物に接する圧力が大きい、物に接する時間が長いなどの場合は衣服の媒体に圧迫的な負担が掛かって、衣服が適正でない運用をしており、不快感を覚える状態があり、衣服全体、衣服の部分的な構成要素、使用形態がマンネリズムの傾向にあるのが現状である。本発明は、これらの不都合を解決することを課題とする。
【課題を解決するための手段】
【０００４】  この課題を解決するための請求項１の発明は、一般的な上下の下着、インナー、キャミソール、タンクトップ、ランニングシャツ、Ｔシャツ、乳幼児用一体衣服、マタニティードレス、ワンピース、スカート、タイツ、パンツ、スーツ、ジャケット、カッターシャツ、パジャマ、トレーニングウェアー、各種スポーツウェアー、運動用シャツ、作業服、各種オーバーウェアー、ストッキング、ソックス、手袋などの衣服全体が肌上に直接、又は適度な衣類の装着した中間部分、及び、最表面上部と使用用途に適応した着用できる腰部、大腿部を含む上半身用、下半身用と身体全体的、身体各部的に構成したものを設ける衣服を媒質とするものが、接する人、接する物や接する大気を介して、接触面の面積を可変、接触面の空間部、隙間の体積を可変させる多彩なメッシュ状の立体構造のものにすることによって、熱伝導の度合い範囲を調整できる機能を有し、衣服の縁以外の全体的、縁も含む全体、部分的にメッシュ立体構造、衣服の正面側と背面の後側、衣服全体の各部分的においてはメッシュ立体構造の接触面の調整機能が同一、又は異なったものにすることもでき、上半身用の正面、側面の左右胴部にファスナー、マジックテープ、紐などを用いるようにし、下半身用と身体全体用にも適当な部分に配置するようにするが、全く用いない衣服もあり、全体的な衣服上の構成として違和感がない、乾湿性に富んだ化学繊維のレーヨン、ナイロン、ポリエステル、アクリル、ポリウレタン、テトロン、ビニロン、その他などと綿、麻、絹、ウールなどを合成した素材の構造性と適応した豊富なデザイン性が融合することを設けた構成要素を有したもの。【０００５】  又、請求項２の発明は、身体の胴体周囲部、胸部、背中部、肩部、脇腕部を含む上半身の大部分と全体的な衣服が衣服と接する乳幼児を抱っこ、負んぶ、身体を動かす運動、又、荷物などの物体を密着させて持つ、負うなどの行為に対し、媒体となる衣服を介して、熱の伝導、発汗を可変させる構成と吸水速乾性のある綿、麻、絹などと化学繊維のレーヨン、ナイロン、ポリエステル、ポリウレタン、その他などを適当に合成したものを選択して利用する。乳幼児の抱っこは涎、飲食物で着衣を汚されるため、汚れを防ぐものと汚れを拭き取るもの、涎とその他の汚れの附着用と拭き取り用が対になった一体型涎汚用拭取用掛けの布製などを設け、大きさ、形状、色彩、組合せ配置を考慮したタオル系を装備するし、媒体の衣服上に直接、装着するようにできるが、個別に装着することもでき、両先端をマジックテープで固定するようにする。乳幼児の負んぶや荷物などの物体、リュックサック、鞄、バックなどを密着させて運ぶ場合でも、肩、腰、胴部などの部分に適応したデザインのクッションのパッドを衣服上に直接、装着するか、個別に装着することが可能であり、タオル系と同様な固定である。前記の衣服上へ装着するタオル系、パッドはマジックテープなどでするが、使用しないときはダミーの装飾品を付けて違和感のないようにする。又、衣服上へ装着するタオル系、パッドは固定式の専用のものにしても良い。従って、媒体の衣服上にはマジックテープを設けたもの、マジックテープを設けないものの二極化が成立する衣服全体につ��ての構成要素を有するようにしたものである。
【発明の効果】
【０００６】  抱っこ、負んぶ、物を負う、身体を動かす運動などの時、熱伝導が低減され、発汗を緩和し、放熱と除湿の好循環の相乗作用効果がある快適な衣服を提供できる奥深いマテリアルである。【０００７】  上半身用、下半身用、身体全体的、身体各部的の衣服は抱っこ、負んぶ、物を負う、身体を動かす運動などの使用用途において、メッシュ形状、構成、構造、デザイン、色合いなどを自由に選択でき、合理的な利用、利便性が良く効果的な威力を発揮できる。【０００８】  乳幼児の抱っこについて、涎とその他の汚れの附着用と拭き取り用が対になった一体型涎汚用拭取用掛けの拭取用は汗拭き、日除けにも活用でき、全体的にデザイン性にも富んだ物である。更に、乳幼児の負んぶ、物を負う場合は肩パット、腰又は胴パットを併用することで負担を緩和した充実がある。【０００９】  衣服は正面側と背面の後側、又、衣服の全体的、部分的において、熱伝導に関する接触面の面積、接触面の空間、隙間の体積を同一、異とするのどちらでも選択でき、使用用途によって適応した構成が可能である。【００１０】  抱っこ用の衣服は乳幼児や要介護者を抱える家族の方、接する仕事に従事した関係者の方、負う、身体を動かす運動用の衣服はリュックサックを背負ってウォーキング、トレッキングや登山をする人、ショルダーバックを掛けている人に有用であり、一般の人からアスリートまで広範囲に利用できる。【００１１】  衣服全体が肌上、衣類の中間どころ、最表面上と使用用途に応じた着用ができ、各種は構成、デザインを多彩的に選択でき、リバーシブルとしても利用ができる。例えば、スポーツ対抗戦の練習でのリバーシブルな色分け、二極化の一つマジックテープのものにすれば、ゼッケンの着脱も容易で衣服がメッシュ立体構造の調節と吸汗速乾、通気性のあるユニホームを提供する。【００１２】  衣服の熱伝導を低減する接触面積を小さく、接触面の空間、隙間の体積を大きくすることで衣服の機能を保持できるように構成を崩さないでデザインと協調した融合のものである。【００１３】  乳幼児の抱っこは涎、飲食物で着衣を汚されるため、汚れを防ぐものと汚れを拭き取るもの、涎とその他の汚れの附着用と拭き取り用が対になった一体型涎汚用拭取用掛けのプロセスが簡単で利便性に富んだものであり、乳幼児との一体感が深まり、更にスキンシップを増強するものである。【００１４】  衣服に一体型の各部の胸、肩、腰、胴パット掛けを併用することで身体への負担が軽減され、本発明の衣服以外の衣服上でも合理的な活用ができる。【００１５】  身近に衣服装備品の着脱を手軽にでき、又、こまめに洗濯することで、繰り返し清潔さが保たれたものを使用することができる。【００１６】  衣服の接触面の温度的な快適さを各使用用途、ニーズに適応したファション性がある利用範囲の広いものを提供することができる。【００１７】  リバーシブルと前後を逆にすることが可能である衣服は、一着の衣服で四通りの構成とデザインを保有した利用ができ、適用範囲が大である。【００１８】  直接に外気に接しない衣服は熱伝導を下げるが、外気に当たる場合は熱伝導を上げることになり、接触面の面積、接触面の空間部、隙間の体積を各可変させる多彩なメッシュ立体構造���し、熱伝導の度合い範囲を調整できる機能を使用用途の衣類に適正な構成とデザインが自由に選択できる。
【発明を実施するための最良の形態】
【００１９】  図１は、熱伝導調節用衣服の概略図（メッシュ立体構造の拡大縮小・品例）で、図中１１、１２、１４は衣服の部分的メッシュ立体構造で中、小の大きさであるが、使用用途、衣類によっては大、微小を選定できるものであり、部分的メッシュは発汗性や体感的に快適にできる部分についての構成とデザイン性も加味したものにする。【００２０】  図１おいて、１３は衣服の正面側と背面側を大と小のメッシュ立体構造とし、側面の胴体部はファスナー・マジックテープ・紐などで留め、使用用途、衣類では接触面の面積、接触面の空間部、隙間の体積を可変することで、熱伝導の度合い範囲を調整し、リバーシブルと前後を逆にすることが可能であり、一着の衣服で四通りの構成とデザインを保有した利用ができ、各種類、サイズ、条件などの衣服が多才な構成とデザインを創り出すものである。【００２１】  図１おいて、１５は衣服の或る一つのメッシュ立体構造を拡大したものであり、接触面の平面上の面積、接触面の空間部、隙間の立方体、又は直方体の体積を可変させることで、熱伝導の度合い範囲を調整するが、接触面は平らな立方体、直方体の他に円い円柱のものを使用すれば、接触面の面積、接触面の空間部、隙間の体積にも、変化が現れ、熱伝導の度合い範囲の調整も変化したものになり、使用用途、衣類などによって選定するものである。接触面が平らなもの、円いものも接触面の空間部、隙間の体積が利用時に大きな型くずれの変形がない構造にするのが好ましく、更に発汗の吸収性、蒸発性のどちらもを保有し、協調した化学繊維と綿などの合成の材質を組み込む構成が意図するところである。１６から１９は衣服のメッシュ立体構造各種の多彩な一例を示した。【００２２】  図２は、熱伝導調節用衣服の概略図（二極化と汚れを防ぎ拭く・パッド例）で、２１と２２は体型に適合した形状の衣服上にマジックテープを設けないものと設けたものであり、２１は一体型涎汚用拭取用、物入れ用拭取用、肩パッド、腰・胴パッド掛けのものを装着する。２２は涎汚用掛け、拭取用掛け、肩・腰・胴パッド掛けを各部へ接合させて利用する。利用しないときはダミーの装飾品を付けるようにすることもできる。【００２３】  図３は、熱伝導調節用衣服の概略図（各一体型汚れを防ぎ拭く・パッド例）で、３１から３４は一体型涎汚用拭取用、物入れ用拭取用、肩パッド、腰・胴パッド掛けを衣服上で利用でき、本発明の衣服以外の衣服上でも活用できるものであり、大きさや容量は体型に適合したものを使用する。３１は乳幼児の抱っこ、負んぶによって前後を逆にして利用すると更に効果的である。【００２４】  図１〜３は、熱伝導調節用衣服の概略外形図例であり、本発明の特許請求の範囲を満足すれば、この限りではない。
【産業上の利用可能性】
【００２５】  本発明に係る熱伝導調節用衣服は、工業的に量産する事が可能であるため、産業上の利用可能性を有する。
【図面の簡単な説明】
【００２６】
【図１】熱伝導調節用衣服の概略図（メッシュ立体構造の拡大縮小・品例）
【図２】熱伝導調節用衣服の概略図（二極化と汚れを防ぎ拭く・パッド例）
【図３】熱伝導調節用衣服の概略図（各一体型汚れを防ぎ拭く・パッド例）
【符号の説明】
【００２７】図中の文字、数字は次の通りである。
１１：衣服の部分的メッシュ立体構造    １２：衣服の部分的メッシュ立体中小
１３：衣服の前後大小メッシュ立体構造  １４：衣服の部分的メッシュ立体構造
１５：衣服のメッシュ立体構造拡大一例  １６：衣服のメッシュ立体構造大一例
１７：衣服のメッシュ立体構造小一例    １８：衣服のメッシュ立体構造一例
１９：衣服のメッシュ立体構造一例      ２１：衣服の二極化・マジックテープ無
２２：衣服の二極化・マジックテープ有  ２３：涎汚用掛け
２４：拭取用掛け                      ２５：肩・腰・胴パッド掛け
３１：一体型涎汚用拭取用掛け          ３２：一体型物入れ用拭取用掛け
３３：一体型肩パッド掛け              ３４：一体型腰・胴パッド掛け
ａ  ：メッシュ立体構造の中程度        ｂ  ：メッシュ立体構造の小・微小程度
ｃ  ：メッシュ立体構造の無い部分      ｄ  ：接触面の面積
ｅ  ：接触面の空間部、隙間の体積      ｆ  ：衣服のメッシュ立体構造が無い縁
ｇ  ：ファスナー・マジックテープ・紐  ｈ  ：衣服の正面側メッシュ立体構造
ｉ  ：衣服の背面側メッシュ立体構造    ｊ  ：メッシュ立体構造接合部・結び目
ｋ  ：ファスナー                      ｌ  ：胸先部マジックテープ
ｍ  ：肩部マジックテープ              ｎ  ：腰・胴部マジックテープ
ｏ  ：マジックテープ                  ｐ  ：涎・汚れ受容用部
ｑ  ：拭き取り・日除け用部            ｒ  ：接続部・マジックテープ又は紐
ｓ  ：チャック付き物入れ用部          ｔ  ：首回り伸縮用襟部
ｕ  ：肩用クッションパッド部          ｖ  ：帯状腕当て部
【図１】
2014185416.tif 000003
【図２】
2014185416.tif 000004
【図３】
2014185416.tif 000005